(57)【要約】【課題】操作つまみと移動体とを移動する際に生じる音や振動を効果的に防止できるスライド式電子部品を提供する。【解決手段】収納ケース１１０内に移動体５０をスライド移動自在に収納してなる電子部品部１５０と、電子部品部１５０の上部に設置される外装ケース２００と、外装ケース２００の上部にスライド移動自在に設置されると共につまみ連結部２３３によって移動体５０と連結してなる操作つまみ３００とを具備する。収納ケース１１０と外装ケース２００の間のつまみ連結部２３３がスライド移動する両終端位置の外側に、それぞれ収納ケース１１０と外装ケース２００によって挟持される一対の弾性消音部材１６０を設置する。【選択図】図８
2010157409.tif 000002
【特許請求の範囲】
【請求項１】
収納ケース内に移動体をスライド移動自在に収納しこの移動体のスライド移動によって電気的出力を変化させる電子部品部と、
前記電子部品部の上部に設置される外装ケースと、
前記外装ケースの上部にスライド移動自在に設置されると共につまみ連結部によって前記移動体と連結してなる操作つまみとを具備するスライド式電子部品において、
前記収納ケースと外装ケースの間に弾性消音部材を設置したことを特徴とするスライド式電子部品。
【請求項２】
請求項１に記載のスライド式電子部品において、
前記弾性消音部材は、前記収納ケースと外装ケースの間の前記つまみ連結部がスライド移動する終端位置外側に設置され、その外周側面の一部が前記つまみ連結部を当接させる当接面となっていることを特徴とするスライド式電子部品。
【請求項３】
請求項１又は２に記載のスライド式電子部品において、
前記外装ケースと弾性消音部材の間につまみ摺接用部材を設置し、このつまみ摺接用部材に前記操作つまみをスライド移動自在に摺接する摺接部を設けたことを特徴とするスライド式電子部品。
【請求項４】
請求項２または３に記載のスライド式電子部品において、
前記収納ケース内には前記移動体を中立位置に自動復帰させる弾発部材が収納され、且つ収納ケースには弾発部材の両端を支持する支持部が収納ケースの上面を構成する金属板の支持部となる部分の両側を切り欠いてその支持部を収納ケース内に押し込むことによって形成され、
さらに前記弾性消音部材は前記収納ケースを切り欠くことで形成される開口を塞ぐ位置に設置されていることを特徴とするスライド式電子部品。
【発明の詳細な説明】
【技術分野】
【０００１】
本発明は、スライド式スイッチやスライド式可変抵抗器等のスライド式電子部品に関するものである。
【背景技術】
【０００２】
従来、スライド式電子部品の中には、例えば特許文献１に示すように、収納ケース（下ケース）（４０）内に移動体（摺動型物）（５０）をスライド移動自在に収納しこの移動体（５０）のスライド移動によって摺動子（６０）及びスイッチパターン（７１）からなる電気的機能部の出力を変化させると共に、前記収納ケース（４０）の上部に外装ケース（３０）を設置し、さらに外装ケース（３０）の上部にスライド移動自在に操作つまみ（つまみ）（１０）を設置し、操作つまみ（１０）に取り付けた係合爪（２５ａ，２５ｂ）によってこの操作つまみ（１０）を移動体（５０）と一体にスライド移動自在に連結し、また前記収納ケース（４０）内に前記移動体（５０）を中立位置に自動復帰させるためのコイルスプリング（５５）を収納して構成されているものがある。
【０００３】
そしてこのスライド式電子部品は、操作つまみ（１０）をスライド移動させることで操作つまみ（１０）と一体に移動体（５０）及び摺動子（６０）をスライド移動してスイッチパターン（７１）からの出力を変化させ、一方操作つまみ（１０）のスライド移動を解除することでコイルスプリング（５５）の弾発力によって操作つまみ（１０）及び移動体（５０）を元の中立位置に自動復帰させる。
【０００４】
しかしながら上記構成のスライド式電子部品においては、中立位置からスライド移動させた移動体（５０）がコイルスプリング（５５）の弾発力によって元の中立位置に戻る際の衝撃によって生じる収納ケース（４０）内の振動が大きく、この振動と共に生じる音も大きくなってしまうという問題があった。
【０００５】
また操作つまみ（１０）を中立位置からスライド移動してその終端位置に達した際は、係合爪（２５ａ，２５ｂ）の側面が外装ケース（３０）の貫通穴（３１ａ，３１ｂ）の内周面に当接するので、この当接によっても音及び振動が生じてしまうという問題があった。
【０００６】
また収納ケース（４０）にはコイルスプリング（５５）の両端を係止させておく当接用突起部（４８ｃ，４８ｄ）を設けるためにその両側に開口からなる切欠部（４７ｃ，４７ｄ）を設けているが、この切欠部（４７ｃ，４７ｄ）を通して収納ケース（４０）内の音（移動体（５０）やコイルスプリング（５５）の動作による音）が外装ケース（３０）側に漏れ出てしまうという問題もあった。
【０００７】
さらに外装ケース（３０）の装飾のために外装ケース（３０）の表面に塗装を行なうと、塗装による細かな凹凸（ざらつき）が生じ、その上を操作つまみ（１０）が摺動する際に摺動音（摺動振動）が生じてしまうという問題もあった。
【０００８】
以上説明した音及び振動は、このスライド式電子部品を例えばデジタルビデオカメラの操作つまみ等として利用した場合に、その録音に雑音として収録されてしまう等の不都合を生じる。
【特許文献１】特開２００７−５３０１８号公報
【発明の開示】
【発明が解決しようとする課題】
【０００９】
本発明は上述の点に鑑みてなされたものでありその目的は、移動体等を収納した収納ケースの上に外装ケースと操作つまみとを設置し、操作つまみと移動体とを外装ケース及び収納ケースを介して連結してなる構造のスライド式電子部品において、操作つまみと移動体とを移動する際に生じる音や振動を効果的に防止できるスライド式電子部品を提供することにある。
【課題を解決するための手段】
【００１０】
本願請求項１に記載の発明は、収納ケース内に移動体をスライド移動自在に収納しこの移動体のスライド移動によって電気的出力を変化させる電子部品部と、前記電子部品部の上部に設置される外装ケースと、前記外装ケースの上部にスライド移動自在に設置されると共につまみ連結部によって前記移動体と連結してなる操作つまみとを具備するスライド式電子部品において、前記収納ケースと外装ケースの間に弾性消音部材を設置したことを特徴とするスライド式電子部品にある。
【００１１】
本願請求項２に記載の発明は、請求項１に記載のスライド式電子部品において、前記弾性消音部材は、前記収納ケースと外装ケースの間の前記つまみ連結部がスライド移動する終端位置外側に設置され、その外周側面の一部が前記つまみ連結部を当接させる当接面となっていることを特徴とするスライド式電子部品にある。
【００１２】
本願請求項３に記載の発明は、請求項１又は２に記載のスライド式電子部品において、前記外装ケースと弾性消音部材の間につまみ摺接用部材を設置し、このつまみ摺接用部材に前記操作つまみをスライド移動自在に摺接する摺接部を設けたことを特徴とするスライド式電子部品にある。
【００１３】
本願請求項４に記載の発明は、請求項２または３に記載のスライド式電子部品において、前記収納ケース内には前記移動体を中立位置に自動復帰させる弾発部材が収納され、且つ収納ケースには弾発部材の両端を支持する支持部が収納ケースの上面を構成する金属板の支持部となる部分の両側を切り欠いてその支持部を収納ケース内に押し込むことによって形成され、さらに前記弾性消音部材は前記収納ケースを切り欠くことで形成される開口を塞ぐ位置に設置されていることを特徴とするスライド式電子部品にある。
【発明の効果】
【００１４】
請求項１に記載の発明によれば、収納ケースと外装ケースの間に弾性消音部材を挟持して設置したので、収納ケース内で移動体等が動作することによって生じる振動が弾性消音部材によって減衰（抑制）され、これによって前記振動及びこの振動に基く音の発生を防止できる。
【００１５】
請求項２に記載の発明によれば、操作つまみ及び移動体を一方の方向の終端位置にスライド移動した際につまみ連結部が弾性消音部材の当接面に当接するので、つまみ連結部の当接によって生じる音及び振動を防止できる。
【００１６】
請求項３に記載の発明によれば、たとえ外装ケースの上面を装飾などのために塗装などしてざらつかせても、その上をスライド移動する操作つまみはつまみ摺接用部材に設けた摺接部上を摺動するので、摺動音（摺動振動）を防止することができる。
【００１７】
請求項４に記載の発明によれば、たとえ移動体の中立位置への自動復帰機構用の支持部を構成するために収納ケースを切り欠いて開口を設けても、収納ケース内で生じる音の外装ケース側への漏れを防止できる。
【発明を実施するための最良の形態】
【００１８】
以下、本発明の実施形態を図面を参照して詳細に説明する。図１は本発明の一実施形態にかかるスライド式電子部品１の上部の部品を上側から見た分解斜視図、図２は中央の部品を上側から見た分解斜視図、図３は下部の部品を上側から見た分解斜視図、図４は上部の部品を下側から見た分解斜視図、図５は中央の部品を下側から見た分解斜視図、図６は下部の部品を下側から見た分解斜視図である。また図７は組み立てたスライド式電子部品１を図１に示すＡ−Ａ線で切断した概略断面図、図８は組み立てたスライド式電子部品１を図１に示すＢ−Ｂ線で切断した概略断面図である（ただし各部品の断面は必要に応じて異なる位置の断面を示している）。なお以下の説明において、「上」とは下記する電子部品部１５０から操作つまみ３００側を向く方向をいい、「下」とはその逆方向を言うものとする。
【００１９】
これらの図に示すようにスライド式電子部品１は、電子部品部１５０と、電子部品部１５０の上部に設置されるつまみ摺接用部材１７０及び外装ケース２００と、外装ケース２００の上部にスライド移動自在に設置される操作つまみ３００とを具備し、さらに電子部品部１５０と外装ケース２００の間（具体的にはつまみ摺接用部材１７０と収納ケース１１０の間）にこれら電子部品部１５０と外装ケース２００とによって挟持される一対の弾性消音部材１６０，１６０を設置して構成されている。
【００２０】
ここで電子部品部１５０は、収納ケース１１０内に摺動子９０を取り付けた移動体５０及び弾発部材（以下「コイルバネ」という）１４０を収納し、さらに収納ケース１１０の下側に回路基板（以下「フレキシブル回路基板」という）３０と取付部材（以下「取付板」という）１０とを設置して構成されている。また操作つまみ３００はつまみ本体２６０の下面側につまみ基部２３０を取り付けて構成されている。以下各構成部品について説明する。
【００２１】
取付板１０は硬質板（この例では鉄板等の金属板を用いているが、硬質の合成樹脂板等を用いても良い）で構成され、その所定位置（下記する収納ケース１１０の各取付部１１５に対向する位置）に矩形状の貫通する小孔からなる挿入係止部１１を設けている。
【００２２】
フレキシブル回路基板３０は可撓性を有する合成樹脂フイルム上に所望の摺接パターン３１を形成して構成されており、前記取付板１０の各挿入係止部１１に対向する位置にはそれぞれ矩形状の貫通する小孔からなる挿入部３３が設けられている。摺接パターン３１は下記する摺動子９０の一対の接点９５が摺接することでその電気的出力が変化する電気的機能部の一部であり、スイッチパターンであっても良いし、抵抗体パターンであっても良い。またフレキシブル回路基板３０の上面には前記摺接パターン３１から引き出された図示しない回路パターンが形成されている。フレキシブル回路基板３０を構成する合成樹脂フイルムはこの例ではポリエチレンテレフタレート（ＰＥＴ）フイルムを用いているが、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等、他の各種熱可塑性、熱硬化性、光硬化性の合成樹脂フイルムを用いて構成しても良い。
【００２３】
移動体５０は合成樹脂（この例ではＰＯＭ樹脂を用いているが、他の各種合成樹脂材であっても良い）の一体成形品であり、下記する収納ケース１１０内に収納されて矢印で示すスライド移動方向Ｃ（直線方向）にスライド移動自在となる略矩形形状に形成されている。移動体５０上面のスライド移動方向Ｃに向かって平行な一方の側面近傍には、スライド移動方向Ｃに向かって延びる溝からなる弾発部材収納部５１が設けられている。弾発部材収納部５１の両端はそれぞれ弾発部材係止部５３となっていてこれら弾発部材係止部５３の中央には上から下方向に向かってスリット状に切り欠いてなる支持部挿通部５５が設けられている。支持部挿通部５５は下記する収納ケース１１０の細帯状の支持部１２３を挿入できる幅寸法に形成されている。移動体５０の上面の略中央には下記するつまみ基部２３０に設けた一方のつまみ連結部２３３の移動体係合部２３５を挿入・係止する凹状のつまみ連結部係止部５７が設けられている。また移動体５０の前記弾発部材収納部５１を設けた側の側面の略中央から外方に向けて突出部５９が突設され、突出部５９の上面側に矩形状に切り欠いて下記するつまみ基部２３０に設けたもう一方のつまみ連結部２３３の移動体係合部２３５を挿入・係止する凹状のつまみ連結部係止部６１が設けられている。移動体５０の下面には摺動子取付面６３が設けられ、その所定位置には下方向に向かって突出する２つの小突起からなる摺動子取付部６５が設けられている。また移動体５０の上下面のそれぞれ４隅近傍には小突起からなる摺接部６７が設けられている。
【００２４】
摺動子９０は弾性金属板製（例えばリン青銅板製）であり、略平板矩形状の摺動子基部９１の外周の一側辺からスライド移動方向Ｃに向けて一対の摺動冊子９３を突出して設け、これら一対の摺動冊子９３の根元部分を約１８０°折り返すことで摺動冊子９３の先端近傍に設けた接点９５を摺動子基部９１の下面側に設置し、さらに前記摺動子基部９１の前記各摺動子取付部６５に対向する位置にそれぞれ小穴からなる取付部９７を設けて構成されている。摺動子９０は前記摺接パターン３１と協働してその電気的出力を変化させる電気的機能部の一部である。
【００２５】
収納ケース１１０は金属板（この例では鉄板が用いられているが、金属以外を含む他の各種材質でも良い）などの板材で構成され、スライド移動方向Ｃを長手方向とする略矩形形の平板状に形成された上面部１１１と、上面部１１１の４辺に連接し下方に向かって略直角に折り曲げられた側壁１１３ａ，ｂ，ｃ，ｄとを備えて箱型に形成され、側壁１１３ａ，ｂ，ｃ，ｄで囲まれた下面に開口する凹状の収納部１１４を設けている。スライド移動方向Ｃと平行な両側壁１１３ａ，１１３ｂの下端には、下方向に向かって突出する舌片状の取付部１１５がそれぞれ２つずつ設けられている。側壁１１３ａの両取付部１１５ａ間には、側壁１１３ａの下端を矩形状に切り欠いてなる切欠き部１１７が設けられている。一方上面部１１１の側壁１１３ｂの近傍位置には、スライド移動方向Ｃを長手方向とする略長方形状の貫通孔である開口部１１９が設けられている。また上面部１１１の開口部１１９と側壁１１３ａとの間の位置には、それぞれ上面部１１１の途中から切り欠かれてスライド移動方向Ｃに向かって両側壁１１３ｃ，ｄの上端まで達してさらにそこから下方向に向かって両側壁１１３ｃ，ｄの途中まで連続して切り欠かれる一対の開口１２１が設けられている。両開口１２１内には開口１２１の内周辺の内のスライド移動方向Ｃに直交する方向を向く両内周辺間に掛け渡された細帯状の支持部１２３が設けられている。これら両支持部１２３は収納ケース１１０内に略Ｌ字状に押し込められることによって両支持部１２３が対向する面を当接部１２３ａとしている。そしてこれら両支持部１２３（当接部１２３ａ）の間の空間がコイルバネ１４０を収納する弾発部材設置部１２５となっている。即ちこの収納ケース１１０においては、コイルバネ１４０の両端を支持する支持部１２３が収納ケース１１０の上面を構成する金属板の支持部１２３となる部分の両側を切り欠いてその支持部１２３を収納ケース１１０内に押し込むことによって形成されている。
【００２６】
コイルバネ１４０の両端にはそれぞれバネ座１４１が取り付けられる。バネ座１４１はコイルバネ１４０の端部内に挿入される略柱状の挿入部１４３と、挿入部１４３の一端に設けられるつば状のバネ係止部１４５とを具備して構成されている。バネ座１４１の材質は合成樹脂やゴム弾性を有する各種材料によって構成され、バネ座としての機能の他に、金属製のコイルバネ１４０の端部と金属板製の支持部１２３とが直接当接することで生じる音を防止する機能も兼ね備えている。
【００２７】
弾性消音部材１６０は弾性を有するクッション材を略矩形薄板状（この例では正方形の薄板状）に形成して構成されており、そのスライド移動方向Ｃに直交する方向の寸法は、収納ケース１１０の上面部１１１の同方向に向かう長さ寸法と略同一に形成されている。またそのスライド移動方向Ｃの寸法は、少なくとも収納ケース１１０の上面部１１１の開口１２１部分全体を覆う寸法に形成されている。また両弾性消音部材１６０の対向する側の側面は下記するつまみ連結部２３３が当接する当接面１６１となっている。ここで使用する弾性消音部材１６０の材質は、ゴム弾性を有する材料（ゴム製又は合成樹脂製の弾性体）であり、この例では弾性消音部材１６０として、高発泡ウレタンフォーム又は高発泡シリコンフォーム（例えば株式会社ロジャースイノアックの商品名「ポロン（ＰＯＲＯＮ）」又は「ナンネックス（ＮａｎＮｅｘ）」）を用いている。何れの部材においても、高い衝撃（振動）吸収性と、低圧縮残留性（いわゆるヘタリが小さい）とを有している。もちろん他の各種弾性材料を用いて弾性消音部材１６０を構成しても良い。
【００２８】
つまみ摺接用部材１７０は合成樹脂（この例ではＡＢＳ樹脂を用いているが、他の各種合成樹脂材であっても良い）の一体成形品であって略平板矩形状に形成されており、その中央には下記するつまみ基部２３０の両つまみ連結部２３３，２３３を挿入する略矩形状の挿通口１７１が設けられ、その下面の周囲５ヶ所からは下方向に向かって脚部１７３が突設されている。つまみ摺接用部材１７０上面の挿通口１７１の左右両側辺（スライド移動方向Ｃに延びる両側辺）の部分には、上方向に向かって突出してスライド移動方向Ｃに平行に延びる一対のレール状の摺接部１７５が設けられている。またつまみ摺接用部材１７０の上面の挿通口１７１の両端辺（スライド移動方向Ｃに直交する方向に延びる両側辺）の外側には、２つずつの小孔からなる取付部１７７が設けられている。そしてつまみ摺接用部材１７０下面の取付部１７７を設けた面（挿通口１７１を挟んでスライド移動方向Ｃに並ぶ一対の面）を弾性消音部材取付面１８１としている。また挿通口１７１の両端辺（スライド移動方向Ｃに直交する方向に延びる両側辺）の中央から挿通口１７１内に向けて一対の位置決め突起１７９が設けられ、その先端を上下方向に突出することで前記弾性消音部材１６０の当接面１６１を当接させてその位置決めを行う係止部１８３としている。
【００２９】
外装ケース２００は合成樹脂（この例ではＡＢＳ／ＰＣ樹脂を用いているが、他の各種合成樹脂材であっても良い）の一体成形品であって略平板状に形成されており、その所定位置には略矩形状の開口部２０１が設けられ、またその下面の開口部２０１のスライド移動方向Ｃに直交する方向を向く一対の対向する内側辺の外側位置に２つずつの小突起からなる取付係止部２０３を設け、さらに両取付係止部２０３の両外側位置にそれぞれ下方向に突出する板状の位置決め部２０５を設けて構成されている。開口部２０１のスライド移動方向Ｃに直交する方向を向く一対の対向する内側辺の中央部分同士は帯状の連結部２０７によって連結されている。また開口部２０１のスライド移動方向Ｃを向く一対の対向する内側辺の部分は、もう一方の対向する内側辺の両端部を越えてスライド移動方向Ｃに向かって細帯状（溝状）に延びており、この部分を摺接部挿通部２０９としている。つまり開口部２０１の左右両側辺部分が摺接部挿通部２０９となっている。摺接部挿通部２０９は前記つまみ摺接用部材１７０の摺接部１７５を挿入できる寸法形状に形成されている。
【００３０】
つまみ本体２６０は合成樹脂（この例ではＡＢＳ樹脂を用いているが、他の各種合成樹脂材であっても良い）の一体成形品であって略矩形状に形成されており、その下面にはつまみ基部２３０を収納する凹状の基部収納部２６１が設けられ、基部収納部２６１の底面からは下方向に向かって一対の小突起状の基部取付部２６３と、１つの位置決め突起２６５とが突設されている。位置決め突起２６５はこの操作つまみ２６０につまみ基部２３０を取り付ける際に、１８０°逆方向に取り付けられることを防止するためのものである。
【００３１】
つまみ基部２３０は合成樹脂（この例ではＰＯＭ樹脂を用いているが、他の各種合成樹脂材であっても良い）の一体成形品であって略矩形状に形成されており、前記つまみ本体２６０の一対の基部取付部２６３と１つのガイド突起２６５とをそれぞれ挿入する貫通孔からなる３つの挿通部２３１が設けられている。またつまみ基部２３０の下面のスライド移動方向Ｃを向く左右両側辺の中央位置からは下方向に向かって１つずつつまみ連結部２３３が突設されている。両つまみ連結部２３３の先端は移動体係合部２３５となっており、また両移動体係合部２３５の外側面には係止爪２３６が形成されている。両つまみ連結部２３３の係止爪２３６の上方部分の外側面間の離間距離は、前記つまみ摺接用部材１７０の挿通口１７１の左右両側辺（スライド移動方向Ｃに延びる両側辺）間の幅寸法よりも若干小さい寸法に形成されている。両つまみ連結部２３３のスライド移動方向Ｃに直交する両側面は前記弾性消音部材１６０の当接面１６１に当接する消音部材当接面２３９となっている。またつまみ基部２３０の下面の４隅には下方向に薄く突出する略矩形状の摺接部当接部２３７が設けられている。
【００３２】
次にこのスライド式電子部品１の組立方法を説明する。ここでまず電子部品部１５０の組立方法を説明すると、まず移動体５０下面の摺動子取付面６３に摺動子９０の摺動子基部９１を当接し、その際移動体５０の各摺動子取付部６５を摺動子９０の各取付部９７に挿入して摺動子取付部６５の先端を熱かしめし、これによって移動体５０に摺動子９０を取り付ける。次にコイルバネ１４０の両端にバネ座１４１を取り付けたものを移動体５０の弾発部材収納部５１内に収納する。このときバネ座１４１は両弾発部材係止部５３（その対向する内側面）に弾接する。次にこの移動体５０を収納ケース１１０の収納部１１４内に収納し、その際収納ケース１１０の両支持部１２３の当接部１２３ａの部分を移動体５０の支持部挿通部５５内に挿入する。つまりこのときコイルバネ１４０の両端（正確にはバネ座１４１の両端）は弾発部材係止部５３（その対向する内側面）と当接部１２３ａに同時に当接する。そしてこの収納ケース１１０の下面側にフレキシブル回路基板３０と取付板１０を重ねて設置し、その際収納ケース１１０の各取付部１１５をフレキシブル回路基板３０の各挿入部３３と取付板１０の各挿入係止部１１に挿入してそれらの先端を取付板１０の下面に折り曲げて係止する。これによって電子部品部１５０が完成する。このとき摺動子９０の接点９５は摺接パターン３１の所定位置（例えば中央位置）に当接している。
【００３３】
次に外装ケース２００の下面につまみ摺接用部材１７０を配置し、その際外装ケース２００の下面に設けた４つの取付係止部２０３をつまみ摺接用部材１７０の各取付部１７７に挿入し、各取付係止部２０３の先端を熱かしめする。これによって外装ケース２００へのつまみ摺接用部材１７０の取り付けが完了する。このときつまみ摺接用部材１７０に設けた一対の摺接部１７５は、外装ケース２００の一対の摺接部挿通部２０９に挿入され、両摺接部１７５の上辺は外装ケース２００の上面から少し突出する。
【００３４】
次につまみ本体２６０の基部収納部２６１内につまみ基部２３０を収納し、その際つまみ本体２６０の一対の基部取付部２６３と１つの位置決め突起２６５とをつまみ基部２３０の３つの挿通部２３１にそれぞれ挿入し、両基部取付部２６３の先端を熱かしめし、これによってつまみ本体２６０とつまみ基部２３０とを一体化する。これによって操作つまみ３００が完成する。
【００３５】
次に外装ケース２００の上面に操作つまみ３００を載置し、その際両つまみ連結部２３３をつまみ摺接用部材１７０の挿通口１７１に挿入して挿通口１７１の左右両側辺（スライド移動方向Ｃを向く両側辺）の下面側に両係止爪２３６をスナップイン係合する。このとき同時に操作つまみ３００（つまみ基部２３０）の各摺接部当接部２３７はつまみ摺接用部材１７０の両摺接部１７５上に当接する。これによって操作つまみ３００は両つまみ連結部２３３がつまみ摺接用部材１７０の挿通口１７１の左右両側辺に沿って移動することで、外装ケース２００上をスライド移動（直線移動）する。
【００３６】
次に一対の弾性消音部材１６０をそれぞれつまみ摺接用部材１７０下面の弾性消音部材取付面１８１に例えば両面接着テープによって取り付ける。その取り付けを接着材を塗布すること等の他の手段を用いて行ってもよい。このとき弾性消音部材１６０の当接面１６１をつまみ摺接用部材１７０の位置決め突起１７９の係止部１８３に係止（当接）させることで弾性消音部材１６０の位置決めを行っておく。
【００３７】
そして前記組み立てた電子部品部１５０を外装ケース２００の下面側に設置して図示しない取付手段によって外装ケース２００と取付板１０間を一体化する。このときつまみ摺接用部材１７０下面の脚部１７３の先端はフレキシブル回路基板３０上に当接し、つまみ基部２３０の一対のつまみ連結部２３３先端の移動体係合部２３５はそれぞれ移動体５０に設けた一対のつまみ連結部係止部５７，６１に挿入されて連結される。これによって操作つまみ３００と移動体５０が一体にスライド移動する。以上でスライド式電子部品１の組み立てが完了する。なお上記組立手順はその一例であり、他の各種異なる組立手順を用いて組み立てても良いことはいうまでもない。
【００３８】
次に主として図７〜図９を用いてスライド式電子部品１の動作を説明する。即ち図８に示すスライド式電子部品１の操作つまみ３００の上面を指等によって中立位置からスライド移動方向Ｃ（例えば図８の右方向）に向けてスライド移動すれば移動体５０も収納ケース１１０内をスライド移動方向Ｃに向けてスライド移動し、摺動子９０の接点９５が摺接パターン３１上を摺動してその電気的出力（摺接パターン３１から引き出されるオンオフ信号や抵抗値など）が変化する。このとき同時に図９に示すように、移動体５０が中立位置から移動することで一方（左側）のバネ座１４１が移動体５０の弾発部材係止部５３に押圧されて移動しコイルバネ１４０が圧縮される。従って移動体５０及び操作つまみ３００には中立位置への自動復帰力が働く。そして操作つまみ３００が最も一方の側（右側）に移動すると、図９に示すようにつまみ連結部２３３の右側の消音部材当接面２３９が右側の弾性消音部材１６０の当接面１６１に当接し、その移動が停止される。このときつまみ連結部２３３が当接するのは弾性消音部材１６０なので、当接による衝撃は弾性消音部材１６０が吸収し、音や振動はほとんど発生しない。
【００３９】
そして前記操作つまみ３００の一方向への移動状態を解除すれば、前記コイルバネ１４０の弾性復帰力によって操作つまみ３００及び移動体５０は元の中立位置（図８に示す状態）に自動復帰し、接点９５の摺接パターン３１への当接位置も元の位置に自動復帰する。そしてこの自動復帰時は、移動体５０などが急激に移動する上にバネ座１４１が支持部１２３の当接部１２３ａに強く当接するので（バネ座１４１を設けることでその当接音はかなり減衰されてはいるものの）音と振動が生じる。しかしながらこの振動は収納ケース１１０と外装ケース２００の間に挟持されている弾性消音部材１６０によって減衰（抑制）される。従って前記振動及びこの振動に基く音の発生は防止される。また前記自動復帰時に収納ケース１１０内で発生する音は、収納ケース１１０に設けた開口１２１を通して外装ケース２００側に漏れ出ようとする。しかしながらこのスライド式電子部品１によれば、弾性消音部材１６０が開口１２１を塞いでいるので、たとえ移動体５０の中立位置への自動復帰機構を構成するために収納ケース１１０上面に開口１２１を設けていても、収納ケース１１０内で移動体５０やコイルバネ１４０等が動作することによって生じる音が外装ケース２００側に漏れ出ることを防止できる。
【００４０】
ところでこのスライド式電子部品１は、外装ケース２００の表面（上面）を塗装などによって装飾している。このため外装ケース２００の表面はざらついたり摩擦抵抗が大きくなり、その上を摺動する操作つまみ３００との間で音や振動が発生する恐れがある。そこでこのスライド式電子部品１においては、外装ケース２００の下面から上面に露出した塗装などを行なっていないつまみ摺接用部材１７０の摺接部１７５上に操作つまみ３００を載置して摺動させ、これによって前記ざらつきなどに基く音や振動の発生を防止している。さらにこのスライド式電子部品１においては、操作つまみ３００のつまみ本体２６０も塗装などによって装飾しているが、前記摺接部１７５に当接するつまみ基部２３０には塗装などを行なわず、これによって塗装などしていない摺接部１７５と塗装などしていないつまみ基部２３０の摺接部当接部２３７とが摺接し、摺動に基く音や振動の発生をさらに確実に防止している。なお塗装などしない部材を摺接部１７５だけとしても（即ち操作つまみ３００側の摺接部当接部２３７を塗装などしていても）音と振動の防止がある程度図れる。ところでもし仮に外装ケース２００の表面自体にレール状の摺接部を一体成形にて設けて且つこの摺接部の部分のみをマスキングして外装ケース２００を塗装することで摺接部への塗装を行なわないようにすると、その工程が煩雑になる。特に外装ケース２００の表面が湾曲などしている場合はなおさらである。これに対して本願のスライド式電子部品１においては別部品としてつまみ摺接用部材１７０を用いることで、このような問題も解決している。
【００４１】
以上説明したようにスライド式電子部品１は、収納ケース１１０内に移動体５０をスライド移動自在に収納しこの移動体５０のスライド移動によって電気的出力を変化する電子部品部１５０と、電子部品部１５０の上部に設置される外装ケース２００と、外装ケース２００の上部にスライド移動自在に設置されると共につまみ連結部２３３によって移動体５０と一体に連結してなる操作つまみ３００とを具備し、収納ケース１１０と外装ケース２００の間に弾性消音部材１６０を挟持して設置して構成されている。このため収納ケース１１０内で移動体５０等が動作することによって生じる振動が弾性消音部材１６０によって減衰（抑制）され、これによって振動及びこの振動に基く音の発生が防止できる。
【００４２】
またこのスライド式電子部品１においては、弾性消音部材１６０が、収納ケース１１０と外装ケース２００の間のつまみ連結部２３３がスライド移動する終端位置外側に設置され、その外周側面の一部がつまみ連結部２３３を当接させる当接面１６１となっているので、つまみ連結部２３３の当接によって生じる音及び振動を防止できる。
【００４３】
またこのスライド式電子部品１においては、外装ケース２００と弾性消音部材１６０の間につまみ摺接用部材１７０を設置し、このつまみ摺接用部材１７０に外装ケース２００を貫通して外装ケース２００の上面に突出し操作つまみ３００を載置する摺接部１７５を設けたので、たとえ外装ケース２００の上面を装飾などのために塗装したりしてざらつかせても、その上をスライド移動する操作つまみ３００は摺接部１７５上を摺動するので、摺動音（摺動振動）を防止することができる。
【００４４】
またこのスライド式電子部品１においては、収納ケース２００内に移動体５０を中立位置に自動復帰させるコイルバネ１４０を収納し、収納ケース２００にはコイルバネ１４０の両端を支持する支持部１２３を収納ケース１１０の上面を構成する金属板の支持部１２３となる部分の両側を切り欠いてその支持部１２３を収納ケース１１０内に押し込むことによって形成しているが、弾性消音部材１６０は収納ケース１１０を切り欠くことで形成される開口１２１を塞ぐ位置に設置されているので、たとえ移動体５０の中立位置への自動復帰機構用の支持部１２３を構成するために収納ケース１１０を切り欠いて開口１２１を設けても、収納ケース１１０内で生じる音の外装ケース２００側への漏れを防止できる。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記スライド式電子部品１ではスライド移動方向Ｃとして直線方向を示したが、スライド移動方向Ｃは、円弧方向やその他の曲線方向など、直線方向以外の各種方向を含む概念である。
【００４６】
また上記スライド式電子部品１では摺接部１７５を直線状のレール形状に形成したが、曲線状のレールでも良く、レール形状以外の点状でもその他の形状でも良い。同様につまみ基部２３０に設ける摺接部当接部２３７もレール状等の他の各種形状に形成しても良い。また場合によってはバネ座１４１は省略しても良い。また移動体５０を中立位置に自動復帰させるために用いる弾発手段としてはコイルバネ（圧縮コイルバネ）１４０に限定されず、ねじりコイルバネなどの他の各種バネや、ゴム状弾性体などを用いても良い。また場合によってはコイルバネ１４０などの自動復帰機構は省略しても良い。電子部品部１５０の構成も上記スライド式電子部品１のものに限定されず、要は収納ケース内に移動体をスライド移動自在に収納しこの移動体のスライド移動によって電気的出力を変化する電子部品部であればどのような構造であっても良い。
【００４７】
また上記スライド式電子部品１においては操作つまみ３００をつまみ本体２６０とつまみ基部２３０とによって構成したが、１つの成形品で構成しても良いし、三つ以上の複数部品で構成しても良い。また上記実施形態ではつまみ連結部２３３を操作つまみ３００側に設けたが、その代りに移動体５０側に設けても良い。また上記スライド式電子部品１ではつまみ連結部２３３先端の移動体係合部２３５を移動体５０のつまみ連結部係止部５７，６１に挿入するだけで（着脱自在の状態で）操作つまみ３００と移動体５０とを一体にスライド移動自在に構成しているが、つまみ連結部によって操作つまみと移動体間を着脱できない状態に固定してもよい。また上記スライド式電子部品１では一対の弾性消音部材１６０をつまみ連結部２３３がスライド移動する両側の終端位置の外側に設置したが、一方の終端位置の外側のみに１つだけ設置しても良い。
【図面の簡単な説明】
【００４８】
【図１】スライド式電子部品１の上部の部品を上側から見た分解斜視図である。
【図２】スライド式電子部品１の中央の部品を上側から見た分解斜視図である。
【図３】スライド式電子部品１の下部の部品を上側から見た分解斜視図である。
【図４】スライド式電子部品１の上部の部品を下側から見た分解斜視図である。
【図５】スライド式電子部品１の中央の部品を下側から見た分解斜視図である。
【図６】スライド式電子部品１の下部の部品を下側から見た分解斜視図である。
【図７】スライド式電子部品１を図１に示すＡ−Ａ線で切断した概略横断面図である。
【図８】スライド式電子部品１を図１に示すＢ−Ｂ線で切断した概略横断面図である。
【図９】スライド式電子部品１の動作説明図である。
【符号の説明】
【００４９】
１  スライド式電子部品
１０  取付板（取付部材）
３０  フレキシブル回路基板（回路基板）
３１  摺接パターン（電気的機能部）
５０  移動体
９０  摺動子（電気的機能部）
１１０  収納ケース
１２１  開口
１２３  支持部
１４０  コイルバネ（弾発部材）
１５０  電子部品部
１６０  弾性消音部材
１６１  当接面
１７０  つまみ摺接用部材
１７５  摺接部
２００  外装ケース
２３０  つまみ基部
２３３  つまみ連結部
２６０  つまみ本体
３００  操作つまみ
【図１】
2010157409.tif 000003
【図２】
2010157409.tif 000004
【図３】
2010157409.tif 000005
【図４】
2010157409.tif 000006
【図５】
2010157409.tif 000007
【図６】
2010157409.tif 000008
【図７】
2010157409.tif 000009
【図８】
2010157409.tif 000010
【図９】
2010157409.tif 000011